(57)【要約】      （修正有）【課題】低コストで生産でき、かつ使用時における美観に優れた立体視めがね及び立体視めがね用フレームを提供する。【解決手段】板状のフレーム５０と、フレーム５０の裏面に固定される左目用及び右目用のフィルタ３０ａ，３０ｂと、を含む。フレーム５０は、左目用フィルタ３０ａを露出させるための第１の開口部１２ａと右目用のフィルタ３０ｂを露出させるための第２の開口部１２ｂとが設けられた第１の領域１０と、第１の開口部１２ａに対応する第３の開口部２２ａと第２の開口部１２ｂに対応する第４の開口部２２ｂとが設けられた第２の領域２０とからなる。フレーム５０は、第１の領域１０が、第２の領域２０と接する端部側と反対の端部側に切り込み１４を有し、フレーム５０を折りたたんだ状態において、第２の領域２０の端部２４を切り込み１４に差し込むことにより、第１の領域１０と第２の領域２０とを掛止可能に形成されている【選択図】図３
0003109078.tif 000002
【実用新案登録請求の範囲】
【請求項１】
画像を立体的に観察するための立体視めがねであって、
板状のフレームと、
前記フレームの裏面に固定される左目用及び右目用のフィルタと、
を含み、
前記フレームは、
前記左目用フィルタ部材を露出させるための第１の開口部と前記右目用のフィルタを露出させるための第２の開口部とが設けられた第１の領域と、
前記第１の領域の第１の開口部に対応する第３の開口部と前記第１の領域の第２の開口部に対応する第４の開口部とが設けられた第２の領域とからなり、
さらに前記フレームは、
前記第１の領域が、前記第２の領域と接する端部側と反対の端部側に切り込みを有し、
前記第１の領域の裏面と前記第２の領域の裏面とを向き合わせて折りたたんだ状態において、前記第２の領域の端部を前記切り込みに差し込むことにより、前記第１の領域と前記第２の領域とを掛止可能に形成されていることを特徴とする立体視めがね。
【請求項２】
請求項１において、
前記切り込みの端部に穴が設けられていることを特徴とする立体視めがね。
【請求項３】
請求項１において、
前記切り込みの端部に補強材が取り付けられていることを特徴とする立体視めがね。
【請求項４】
請求項１〜３のいずれかにおいて、
前記第２の領域は、
前記第３の開口部の近傍に左目用フィルタについての案内表示が付され、前記第４の開口部の近傍に右目用のフィルタについての案内表示が付されていることを特徴とする立体視めがね。
【請求項５】
請求項１〜４のいずれかにおいて、
前記第１の領域側から見た態様が顔を模した態様であることを特徴とする立体視めがね。
【請求項６】
請求項１〜５のいずれかにおいて、
前記第１の領域の第１及び第２の開口部の形状が円、多角形、および星形のいずれか一つであることを特徴とする立体視めがね。
【請求項７】
請求項１〜６のいずれかにおいて、
前記フレームは、前記第１の領域と前記第２の領域とを展開した状態において、はがき大のサイズであることを特徴とする立体視めがね。
【請求項８】
請求項１〜７のいずれかにおいて、
前記左目用フィルタが、赤色系の有色フィルムであり、
前記右眼用フィルタが、青色系の有色フィルムであることを特徴とする立体視めがね。
【請求項９】
画像を立体的に観察するための立体視めがね用のフレームであって、
左目用の第１の開口部と右目用の第２の開口部とが設けられた第１の領域と、
前記第１の領域の第１の開口部に対応する第３の開口部と前記第１の領域の第２の開口部に対応する第４の開口部とが設けられた第２の領域と、
を備えた板状形状を有し、
さらに前記第１の領域が、前記第２の領域と接する端部側と反対の端部側に切り込みを有し、
前記前記第１の領域の裏面と前記第２の領域の裏面とを向き合わせて折りたたんだ状態において、前記切り込みに前記第２の領域の端部を差し込むことにより、前記第１の領域と前記第２の領域とを掛止可能に形成されていることを特徴とする立体視めがね用フレーム。
【考案の詳細な説明】
【技術分野】
【０００１】
本考案は、画像を立体的に観察するための立体視めがね及び立体視めがね用フレームに関する。
【背景技術】
【０００２】
従来より補色関係にある２色のフィルタ、例えば、赤色のフィルタ（左目用フィルタ）および青色のフィルタ（右目用フィルタ）を通して、赤色系および青色系の２種類の色系で生成された左目用画像及び右目用画像とを含む立体視用の画像（ステレオペア画像）を観察することにより観察画像について立体感が得られるアナグリフ方式の立体視めがねが知られており（図１０（Ａ），図１０（Ｂ）参照）、例えば雑誌の付録品や販促用のノベルティグッズなどとして利用されている。
【０００３】
しかしながら、従来の立体視めがねでは、図１１に示すように、画像を観察する際に、外部にフィルタの取り付け面が露わになってしまい、使用者の姿が見栄えのよいものではなかった。そして、使用時における見栄えを良くしようとすると、生産コストが上昇してしまい、付録品やノベルティグッズとしては適さない高価なものとなってしまう。例えば、フィルタの固定面が露わにならないようにすると、フレーム台紙の折り曲げ作業や糊付け作業などによるコスト発生が避けられない。
【考案の開示】
【考案が解決しようとする課題】
【０００４】
本考案は、上記事情を鑑みてなされたものであり、その目的は、低コストで生産でき、かつ使用時における美観に優れた立体視めがねを提供することにある。
【課題を解決するための手段】
【０００５】
本考案は、画像を立体的に観察するための立体視めがねであって、板状のフレームと、前記フレームの裏面に固定される左目用及び右目用のフィルタと、を含み、前記フレームは、前記左目用フィルタを露出させるための第１の開口部と前記右目用のフィルタを露出させるための第２の開口部とが設けられた第１の領域と、前記第１の領域の第１の開口部に対応する第３の開口部と前記第１の領域の第２の開口部に対応する第４の開口部とが設けられた第２の領域とからなり、さらに前記フレームは、前記第１の領域が、前記第２の領域と接する端部側と反対の端部側に切り込みを有し、前記第１の領域の裏面と前記第２の領域の裏面とを向き合わせて折りたたんだ状態において、前記第２の領域の端部を前記切り込みに差し込むことにより、前記第１の領域と前記第２の領域とを掛止可能に形成されている立体視めがねに関係する。
【０００６】
本考案によれば、使用者がフレームを折りたたんで第２の領域の端部を第１の領域の切り込みに差し込んで立体視めがねを容易に組み立てることができる。すなわち、製造者側において最終的な組み立て作業を省略することができるため、低コストで生産することができる。また、本考案の立体視めがねでは、使用時において第１の領域と第２の領域とが互いの裏面を向き合うように折りたたまれるため、フレームの裏面側に固定されるフィルタの取り付け部などが外面に露出しない。このため、本考案によれば、使用時の美観にも優れている立体視めがねを非常に低コストで実現することができる。
【０００７】
また本考案に係る立体視めがねでは、前記切り込みの端部に穴が設けられていてもよい。このようにすれば、切り込みの端部が裂けて破損することを防止することができ、フレームの耐久性を向上させることができる。
【０００８】
また本考案に係る立体視めがねでは、前記切り込みの端部に補強部材が取り付けられていてもよい。このようにしても、切り込みの端部が裂けて破損することを防止することができ、フレームの耐久性を向上させることができる。
【０００９】
また本考案に係る立体視めがねでは、前記第２の領域は、前記第３の開口部の近傍に左目用フィルタについての案内表示が付され、前記第４の開口部の近傍に右目用のフィルタについての案内表示が付されていてもよい。「案内表示が付され」というのは、印刷あるいは書込等により立体視めがねの使用に関する伝達事項がフレームに表示されていることをいう。このようにすれば、使用者がめがねを正しく使用することができるとともに、使用者への説明などの案内表示が使用者の身体側に存在するため、使用時の美観を損ねることがない。
【００１０】
また本考案に係る立体視めがねでは、前記第１の領域側から見た態様が顔を模した態様であってもよい。
【００１１】
また本考案に係る立体視めがねでは、前記第１の領域の第１及び第２の開口部の形状が円、多角形、および星形のいずれか一つであってもよい。
【００１２】
また本考案に係る立体視めがねでは、前記フレームのサイズは、前記第１の領域と前記第２の領域とを展開した状態において、はがき大のサイズであってもよい。このようにすれば、例えば雑誌の付録品として立体視めがねを利用する場合などに、様々な印刷機械に対応することができ、汎用性が高めることができる。
【００１３】
また本考案に係る立体視めがねでは、前記左目用フィルタが、赤色系の有色フィルムであり、前記右眼用フィルタが、青色系の有色フィルムであってもよい。
【００１４】
また本考案は、画像を立体的に観察するための立体視めがね用のフレームであって、左目用の第１の開口部と右目用の第２の開口部とが設けられた第１の領域と、前記第１の領域の第１の開口部に対応する第３の開口部と前記第１の領域の第２の開口部に対応する第４の開口部とが設けられた第２の領域とからなる板状形状を有し、さらに前記第１の領域が、前記第２の領域と接する端部側と反対の端部側に切り込みを有し、前記前記第１の領域の裏面と前記第２の領域の裏面とを向き合わせて折りたたんだ状態において、前記切り込みに前記第２の領域の端部を差し込むことにより、前記第１の領域と前記第２の領域とを掛止可能に形成されている立体視めがね用フレームに関係する。
【考案を実施するための最良の形態】
【００１５】
以下、本実施形態について説明する。なお、以下に説明する本実施形態は、実用新案登録請求の範囲に記載された本考案の内容を不当に限定するものではない。また本実施形態で説明される構成の全てが、本考案の必須構成要件であるとは限らない。
【００１６】
図１〜図４に本実施形態に係る立体視めがねの一例を示す。図１（Ａ）および図１（Ｂ）は、立体視めがねの展開図である。図２は、立体視めがねの組み立て状態を示す説明図である。図３（Ａ）および図３（Ｂ）は、立体視めがねの組み立て後の状態を示す図である。図４（Ａ）および図４（Ｂ）は、立体視めがねの使用状態を示す図である。
【００１７】
本実施の形態の立体視めがね１は、図１（Ａ）及び図１（Ｂ）に示すように、板状のフレーム５０と、フレーム５０の裏面に糊付けあるいは両面テープなどにより固定（接着）された左目用フィルタ３０ａ及び右目用のフィルタ３０ｂとからなる。使用者は、図２に示すように、フレーム５０を折りたたむことによって、図３（Ａ）及び図３（Ｂ）に示されるように、立体視めがね１を自ら組み立てて、図４（Ａ）及び図４（Ｂ）に示すように、組み立てた立体視めがね１を、例えば印刷物１００などに描かれた画像の立体視に使用する。
【００１８】
図１（Ａ）に示すように、フレーム５０は、第１の領域１０と第２の領域２０とからなる。フレームの第１の領域１０には、使用者が画像を観察するための観察窓となる第１の開口部１２ａおよび第２の開口部１２ｂが設けられている。またフレーム５０の第２の領域２０には、第１の領域１０に設けられた第１の開口部１２ａに対応する第３の開口部２２ａと、第２の開口部１２ｂに対応する第４の開口部２２ｂとが設けられている。第１の開口部１２ａ及び第３の開口部２２ａは、左目用の観察窓となる開口部であり、第２の開口部１２ｂ及び第４の開口部２２ｂは、右目用の観察窓となる開口部である。なお本実施の形態では、各開口部の形状について円形を採用しているが、これに限定されない。例えば、図５（Ａ）〜図５（Ｃ）に示すように、各開口部を四角形（図５（Ａ））や三角形（図５（Ｂ））などの多角形や星形（図５（Ｃ））にしてもよい。
【００１９】
また図１（Ｂ）に示すように、フレーム５０の裏面には、糊付けあるいは両面テープ等で左目用フィルタ３０ａと右目用フィルタ３０ｂとが固定されている。本実施の形態では、赤色系の着色フィルムからなる左目用フィルタ３０ａと、青色系の着色フィルムからなる右目用フィルタ３０ｂとが接着部３１において予め両面テープなどを用いて貼り合わせられたフィルム接着体を用いている。なお、左目用フィルタ３０ａと右目用フィルタ３０ｂとが個別に固定されていてもよい。また本実施の形態では、フレーム５０の第２の領域２０の裏面に左目用フィルタ３０ａ及び右目用フィルタ３０ｂを固定しているが、これに限定されるものではない。例えば、図６（Ａ）及び図６（Ｂ）に示されるように、フレーム５０の第１の領域の裏面に左目用フィルタ３０ａ及び右目用フィルタ３０ｂを取り付けてもよい。フィルタ３０ａ，３０ｂは、例えばＰＥＴ、セロファン、あるいはその他のプラスチックで形成することができる。
【００２０】
またフレーム５０の第１の領域１０には、切り込み１４が設けられている。この切り込み１４は、フレーム５０の第１の領域１０における第１の開口部１２ａから第２の開口部１２ｂに至る方向を長手方向とするように設けられている。また切り込み１４は、第１の領域１０の端部から第２の領域との境界部３２に向かって膨らむように湾曲した形状を有している。この切り込み１４は、第１の領域１０と第２の領域２０との境界部３２が折り目となるようにフレーム５０を折りたたむことによって、使用者が立体視めがね１を組み立てる際に、第２の領域２０の端部２４が差し込まれるように形成されている。なお、切り込み１４の形状は、図１に示した態様に限られるものではない。例えば、図７（Ａ）及び図７（Ｂ）に示すように、切り込み１４を直線形状や、第１の領域１０の端部から第２の領域２０との境界部３２に向かって突出するように屈曲した形状にすることができる。
【００２１】
また、フレーム５０の第１の領域１０に設けられる切り込み１４については、両端部が裂けることにより破損するのを防ぐように補強されていることが望まれる。特にフレーム５０が紙からなる場合には、その要請が強い。このため、図８（Ａ）に示されるように、切り込み１４の両端部に穴１５を設けて裂け応力を分散させる構造や、図８（Ｂ）に示されるように、切り込み１４の両端部にテープなどの補強材を第１の領域１０の裏面側において貼り付けておく構造などを採用することで立体視めがね１の耐久性を向上させることができる。なおフレーム５０は、紙製である必要はなくプラスチック製であってもよい。
【００２２】
また本実施の形態の立体視めがね１は、組み立てた状態では、第１の領域１０側から見た態様（第３者の目に映る態様）が人やロボットなどの顔を模した態様となる。すなわち、本実施形態の立体視めがね１では、左目用フィルタ３０ａ及び右目用フィルタ３０ｂの露出する開口部（第１の開口部１２ａ及び第２の開口部１２ｂ）が左目および右目に対応し、切り込み１４が口に対応し、第２の領域２０の端部２４が切り込み１４に差し込まれると、口を開いた状態を模したように第三者の目に映るように形成されている。
【００２３】
また図９に示すように、第２の領域２０の端部２４の形状を工夫すれば、切り込みに差し込まれた第２の領域２０の端部２４が舌を模したものに見えるようにすることもできる。このように、本実施の形態の立体視めがね１によれば、組み立てる楽しみを使用者に与えることができるばかりでなく、低コストで生産できるという利点がある。また、本実施の形態の立体視めがね１では、第１の領域１０と第２の領域２０とを折りたたんで組み立てる構成を採用することにより、フィルタ３０ａ，３０ｂの取り付け面が外部（外面）に露出しないため、使用時の美観にも優れたものを提供できる。
【００２４】
またフレーム５０の第２の領域２０には、使用者への各種の案内表示が付されている。例えば、第３の開口部２２ａの近傍には、左目用のフィルタ３０ａがあることを示す“ひだり”の文字表示２５ａが付され、第４の開口部２２ｂの近傍には、右目用のフィルタ３０ｂがあることを示す“みぎ”の文字表示２５ｂが付されている。また、第２の領域２０の端部２４には、菱形（◇）のマーク２６が付されており、これによりこのマーク２６の付された部分を第１の領域１０に設けられた切り込み１４に差し込むことを伝達するためのインデックスとすることができる。さらに、この他にも第２の領域２０側から画像を観察する旨（“こちらから観察してください”など）の表示をしても良い。このように第２の領域２０に使用者への各種の案内表示をしておけば、使用時において案内表示が外部（第３者側）に見えることはなく、見栄えの良い立体視めがねを実現することができる。
【００２５】
また本実施の形態の立体視めがね１では、フレーム５０のサイズを、第１の領域１０と第２の領域２０とを展開した状態（図１（Ａ）および図１（Ｂ）参照）において、はがき大のサイズとなるように形成することが好ましい。このようにすれば、様々な印刷機械に対応することができ、汎用性が高まる。
【００２６】
以上に述べたように、本実施形態の立体視めがね１によれば、使用者がフレーム５０を折りたたんで第２の領域２０の端部２４を第１の領域１０の切り込み１４に差し込んで容易に組み立てることができる。すなわち、製造者側において最終的な組み立て作業を省略することができるため、立体視めがね１を低コストで生産することができる。また、本実施形態の立体視めがね１では、使用時において第１の領域１０と第２の領域２０とが互いの裏面を向き合うように折りたたまれるため、フレーム５０の裏面側に固定されるフィルタ３０ａ，３０ｂの取り付け部などが外面に露出しない。このため、本実施形態によれば、使用時の美観にも優れている立体視めがね１を非常に低コストで実現することができる。
【００２７】
なお、本考案は、上記実施形態で説明したものに限られず、種々の変形実施が可能である。例えば、明細書又は図面中の記載において広義や同義な用語（固定、外部など）として引用された用語（接着、外面など）は、明細書又は図面中の他の記載においても広義や同義な用語に置き換えることができる。
【００２８】
また立体視めがねにおける立体視の方式も、本実施形態で説明したものに限定されず、これらと均等な手法も本考案はの範囲に含まれる。
【図面の簡単な説明】
【００２９】
【図１】本実施形態の立体視めがねの展開図。
【図２】本実施形態の立体視めがねの組み立て状態を示す図。
【図３】本実施形態の立体視めがねの組み立て完成図。
【図４】本実施形態の立体視めがねの使用状態を示す図。
【図５】本実施形態の立体視めがねの変形例を示す図。
【図６】本実施形態の立体視めがねの変形例を示す図。
【図７】本実施形態の立体視めがねの変形例を示す図。
【図８】本実施形態の立体視めがねの変形例を示す図。
【図９】本実施形態の立体視めがねの変形例を示す図。
【図１０】従来の立体視めがねの例を示す図。
【図１１】従来の立体視めがねの使用状態を示す図。
【符号の説明】
【００３０】
１  立体視めがね、１０  第１の領域、２０  第２の領域、
１２ａ  第１の開口部、１２ｂ  第２の開口部、
２２ａ  第３の開口部、２２ｂ  第４の開口部、
２４  第２の領域の端部、２６  マーク
３０ａ  左目用フィルタ、３０ｂ  右目用フィルタ、３１  接着部、３２  境界部、
５０  フレーム
【図１】
0003109078.tif 000003
【図２】
0003109078.tif 000004
【図３】
0003109078.tif 000005
【図４】
0003109078.tif 000006
【図５】
0003109078.tif 000007
【図６】
0003109078.tif 000008
【図７】
0003109078.tif 000009
【図８】
0003109078.tif 000010
【図９】
0003109078.tif 000011
【図１０】
0003109078.tif 000012
【図１１】
0003109078.tif 000013